(57)【要約】【課題】回転灯装置を長時間の連続作動させても回転灯装置のモータが過熱することのない遊技機の提供。【解決手段】反射板64を回転駆動するモータ68A で回転駆動される軸流ファン81と、ケース部61外部の空気を取り入れるための吸気口82と、ケース部61内部の空気を外部へはき出すため排気口83とを設け、モータ68A で軸流ファン81を回転駆動させることにより、ケース部61の内部を強制的に換気するようにしたので、反射板64を旋回駆動するモータ68A を作動させても、換気により、モータ68A から発生する熱をケース部61の外に逃がすことができ、ケース部61内部の温度上昇を未然に防止できる。このため、長時間の連続作動によりモータ68A が過熱するおそれがなくなり、作動時間を制限する必要がなく、長時間の連続動作が行えるようになる。【選択図】    図３
2008161305.tif 000002
【特許請求の範囲】
【請求項１】
照射光を周囲に旋回させるために、当該照射光を発する光源と、この光源の周囲を旋回可能に設けられた反射板と、この反射板を旋回駆動するモータを有する旋回駆動機構部とが設けられている回転灯装置を備え、この回転灯装置で照射光を旋回させる演出動作が行えるようになっている遊技機であって、
前記旋回駆動機構部を内部に収納するために箱状に形成され、且つ、上側が遊技機に取り付けられるとともに、下側に前記光源及び前記反射板が設けられているケース部と、
容器状に形成されて、前記光源及び前記反射板を内部に収納するとともに、前記光源が発する照射光を外部へ照射可能な透光性を有する材質からなる風防部と、
回転自在に設けられ、回転駆動されることで送風を行う回転扇と、
前記反射板を旋回駆動する前記モータの回転駆動力を前記回転扇まで伝達する駆動力伝達機構部とが前記回転灯装置に設けられ、
前記ケース部には、外部の空気を内部に取り入れるための吸気口と、内部の空気を外部へはき出すための排気口とが設けられ、
前記モータで前記回転扇を回転駆動することにより、前記ケース部の内部の空気が前記排気口から外部へはき出されるとともに、前記吸気口から前記ケース部の内部へ外部の空気が取り込まれて、前記ケース部の内部が強制的に換気されるように形成されていることを特徴とする遊技機。
【請求項２】
前記吸気口及び前記排気口が前記ケース部の側壁部に設けられ、
前記回転扇が前記モータの出力軸と直交する回転軸を備えた軸流ファンとされるとともに、前記吸気口及び前記排気口のいずれか一方を通じて外部に臨むように配置され、
前記駆動力伝達機構部は、互いに噛み合う一対の笠歯車を有し、これら一対の笠歯車により、前記モータの出力軸と直交する前記回転扇の回転軸に前記モータの回転駆動力が伝達が可能となっていることを特徴とする請求項１記載の遊技機。
【請求項３】
前記回転扇が前記ケース部の内部における前記排気口の直ぐ内側に対向して配置されていることを特徴とする請求項２記載の遊技機。
【発明の詳細な説明】
【技術分野】
【０００１】
本発明は、照射光を発する光源と、この光源の周囲を旋回可能に設けられた反射板とを備え、前記反射板を旋回させることにより、前記光源が発する照射光を周囲に旋回させる回転灯装置を備えた遊技機に関する。
【背景技術】
【０００２】
従来から、人々に娯楽を提供する遊技機として、スロットマシンやパチンコ機等が利用されている。
このうち、スロットマシンは、複数種類の図柄が記されるとともに回転駆動可能に設けられた複数の回転リールを備えたものであり、遊技者は、複数の回転リールに設けられた複数種類の図柄を所定の組合せに揃える遊技を遊技者に行わせるものとなっている。
すなわち、遊技者がメダルをスロットマシンに投入した後、スタートレバーを操作すると、複数の回転リールが一斉に回転駆動され、この後、ストップボタンを適宜押圧操作すると、ストップボタンに対応した回転リールが適宜停止するようになっている。そして、回転リールが停止した際に、リール窓内に表示された複数の図柄が特定の組合せに揃ったときに入賞となり、入賞すると、入賞した役に応じた数のメダルがスロットマシンから遊技者に払い出されることとなる。
【０００３】
このような遊技機では、遊技が行われる毎に内部で遊技の当否に係る当否抽選が内部で行われ、この当否抽選で当選することにより、所定の当選役に対応した当選フラグが成立し、遊技者は、当該当選役への入賞が可能となる。換言すると、遊技者は、当否抽選で当選することにより初めて、リール窓内に所定の組合せの図柄を停止させることができるようになっている。具体的には、遊技者は、遊技毎に行われる当否抽選で、大きな利益が得られる特別入賞に対応した当選役であるボーナスゲームに当選して、ボーナスゲームに対応する当選フラグを成立させなければ、ボーナスゲームに入賞することができない。
そして、遊技機は、このように大きな利益の得られる可能性がある当選フラグが成立すると、当選フラグが成立したことを遊技者に報知する演出を行うようになっている。
【０００４】
ここで、遊技機は、当選フラグ成立を報知する報知演出を行うにあたり、当該遊技機に設けられている装飾用のランプを点滅動作又は連続点灯動作させる、当該遊技機に設けられている液晶表示装置の液晶パネルに報知演出用の画像を表示させる、あるいは、遊技機の近傍、又は、遊技機に直接設けられた回転灯装置を動作させ、以上により報知演出を行うようになっている。
報知演出を行うために設けられる回転灯装置としては、一般的な回転灯装置が利用できる。例えば、照射光を発するランプと、このランプの照射光を反射する凹面鏡として形成された反射板と、この反射板を旋回駆動するモータを有する旋回駆動機構部と、箱状に形成されて、旋回駆動機構部を内部に収納するケース部と、透明な容器状に形成されて、ランプ及び反射板を内部に収納する風防とを備えた回転灯装置が採用できる（例えば、特許文献１参照）。
【特許文献１】特開平１１−３４５５０７号（図１）
【発明の開示】
【発明が解決しようとする課題】
【０００５】
前述のような回転灯装置が取り付けられた遊技機では、回転灯装置を遊技機に取り付けるにあたり、回転灯装置の風防の部分のみが外部に露出する一方、回転灯装置のケース部が遊技機の内部に隠蔽された状態で取り付けられる。このため、反射板を旋回駆動するモータは、作動の際に発生する熱が逃げにくいケース部の内部に設置されるうえ、ケース部の内部空間は狭いので、モータの作動による熱により、温度が上昇しやすい環境に置かれることとなる。従って、長時間の連続作動によりモータが過熱するおそれがある、という問題があり、作動時間を制限する必要がある。
そこで、各請求項にそれぞれ記載された各発明は、上記した従来の技術の有する問題点に鑑みてなされたものであり、その目的とするところは、回転灯装置を長時間の連続作動させても回転灯装置のモータが過熱することのない遊技機を提供することである。
【課題を解決するための手段】
【０００６】
各請求項にそれぞれ記載された各発明は、前述の目的を達成するためになされたものである。以下に、各発明の特徴点を、図面に示した発明の実施の形態を用いて説明する。
なお、符号は、発明の実施の形態において用いた符号を示し、本発明の技術的範囲を限定するものではない。
（請求項１）
（特徴点）
請求項１記載の発明は、次の点を特徴とする。
すなわち、請求項１に記載された発明は、照射光を周囲に旋回させるために、当該照射光を発する光源(65)と、この光源(65)の周囲を旋回可能に設けられた反射板(64)と、この反射板(64)を旋回駆動するモータ(68A) を有する旋回駆動機構部(68)とが設けられている回転灯装置(60)を備え、この回転灯装置(60)で照射光を旋回させる演出動作が行えるようになっている遊技機(１)であって、前記旋回駆動機構部(68)を内部に収納するために箱状に形成され、且つ、上側が遊技機(１)に取り付けられるとともに、下側に前記光源(65)及び前記反射板(64)が設けられているケース部(61)と、容器状に形成されて、前記光源(65)及び前記反射板(64)を内部に収納するとともに、前記光源(65)が発する照射光を外部へ照射可能な透光性を有する材質からなる風防部(63)と、回転自在に設けられ、回転駆動されることで送風を行う回転扇(81)と、前記反射板(64)を旋回駆動する前記モータ(68A) の回転駆動力を前記回転扇(81)まで伝達する駆動力伝達機構部(84)とが前記回転灯装置(60)に設けられ、前記ケース部(61)には、外部の空気を内部に取り入れるための吸気口(82)と、内部の空気を外部へはき出すための排気口(83)とが設けられ、前記モータ(68A) で前記回転扇(81)を回転駆動することにより、前記ケース部(61)の内部の空気が前記排気口(83)から外部へはき出されるとともに、前記吸気口(82)から前記ケース部(61)の内部へ外部の空気が取り込まれて、前記ケース部(61)の内部が強制的に換気されるように形成されていることを特徴とする。
【０００７】
（請求項２）
（特徴点）
請求項２記載の発明は、前述した請求項１に記載の発明において、次の特徴点を備えているものである。
すなわち、請求項２記載の発明は、前記吸気口(82)及び前記排気口(83)が前記ケース部(61)の側壁部(61C) に設けられ、前記回転扇(81)が前記モータ(68A) の出力軸と直交する回転軸を備えた軸流ファンとされるとともに、前記吸気口(82)及び前記排気口(83)のいずれか一方を通じて外部に臨むように配置され、前記駆動力伝達機構部(84)は、互いに噛み合う一対の笠歯車(88, 89)を有し、これら一対の笠歯車(88, 89)により、前記モータ(68A) の出力軸と直交する前記回転扇(81)の回転軸に前記モータ(68A) の回転駆動力が伝達が可能となっていることを特徴とする。
【０００８】
（請求項３）
（特徴点）
請求項３記載の発明は、前述した請求項２に記載の発明において、次の特徴点を備えているものである。
すなわち、請求項３記載の発明は、前記回転扇(81)が前記ケース部(61)の内部における前記排気口(83)の直ぐ内側に対向して配置されていることを特徴とする。
【発明の効果】
【０００９】
（請求項１の効果）
以上のように構成されている本発明は、以下に記載されるような効果を奏する。
すなわち、請求項１記載の発明によれば、モータで回転駆動される回転扇と、ケース部外部の空気を取り入れるための吸気口と、ケース部内部の空気を外部へはき出すため排気口とを設け、モータで回転扇を回転駆動させることにより、ケース部の内部が強制的に換気されるようにしたので、反射板を旋回駆動するモータを作動させても、換気により、モータから発生する熱をケース部の外に逃がすことができ、ケース部内部の温度上昇が未然に防止される。このため、長時間の連続作動によりモータが過熱するおそれがなくなり、作動時間を制限する必要がなく、長時間の連続動作が行えるようになる。
【００１０】
（請求項２の効果）
前述のように構成されている本発明は、以下に記載されるような効果を奏する。
すなわち、請求項２記載の発明によれば、遊技機に取り付けられるケース部の上側や、光源及び反射板が設けられるケース部の下側には、排熱するのに充分な大きさの開口が確保できなくとも、吸気口及び排気口をケース部の側壁部に設けたので、これらの吸気口及び排気口の開口面積を、排熱するのに充分な大きさにすることができる。
また、反射板を旋回駆動するモータの回転駆動力を回転扇まで伝達する駆動力伝達機構部として、互いに噛み合う一対の笠歯車を有するものを採用したので、これら一対の笠歯車により、モータの出力軸と直交する回転軸に回転駆動力を伝達することができる。
【００１１】
これにより、回転扇として、モータの出力軸と直交する回転軸を有する軸流ファンを採用するとともに、この軸流ファンを吸気口及び排気口のいずれか一方に臨むように配置しても、駆動力伝達機構部によってモータの回転駆動力を軸流ファンに確実に伝達することができる。
従って、充分な開口面積を有する吸気口及び排気口の一方に臨むように、送風量の大きい軸流ファンが配置されるので、軸流ファンを駆動するモータに大きな負荷を加えることなく、モータを冷却する冷却空気の風量を充分に確保することができ、反射板を旋回駆動するモータで回転扇を回転駆動するようにしても、何ら問題が生じない。
【００１２】
（請求項３の効果）
請求項３記載の発明によれば、上記した請求項２記載の発明の効果に加え、次のような効果を奏する。
すなわち、請求項３記載の発明によれば、回転扇をケース部の内部における排気口の直ぐ内側に対向して配置したので、回転扇の回転駆動によりケース部内が負圧となり、熱により膨張した空気も排気口へ誘導され、ケース部の内部へ軸流ファンで空気を圧送する場合と異なり、一部分にのみに冷却空気が送風されることがなく、ケース部の内部を全体的に冷却することができ、この点からも、長時間の連続作動によりモータが過熱するおそれをなくすことができる。
【発明を実施するための最良の形態】
【００１３】
以下に、本発明を実施するための最良の形態である一の実施形態について、図面を参照しながら説明する。
（図面の説明）
図１〜図５は、本実施形態を示すものであり、図１は、本実施形態に係る遊技機であるスロットマシンの全体を示す正面図、図２は、本実施形態に係る回転灯装置を示す斜視図、図３は、本実施形態に係る回転灯装置を示す断面図、図４は、本実施形態に係る回転灯装置を示す分解斜視図である。
（スロットマシン１の概要）
本実施形態に係るスロットマシン１は、複数の回転リール40の各々に記された複数種類の図柄が所定の組合せとなるように、回転している回転リール40を停止させる遊技を行うものである。このスロットマシン１には、図１に示すように、当該スロットマシン１の各種装置を収納するとともに、正面形状が長方形となった筐体２が備えられている。
【００１４】
筐体２は、正面全体が開口された箱状の部材である。そして、筐体２には、その開口を塞ぐための前扉３が回動可能に設けられている。
前扉３の上下方向における中央部分は、スロットマシン１の遊技操作を行うための操作部４となっている。
操作部４には、図１中右側から、前扉３の施錠を行う鍵が差し込まれる鍵穴3Aと、遊技用メダルが投入されるメダル投入口18と、回転リール40の回転を停止させるストップスイッチ50と、メダル投入口18に投入されたメダルのうち該遊技に賭けるメダルの枚数を設定するためのベットスイッチ16と、回転リール40の回転を開始させるスタートスイッチ30と、貯留されているメダルを払い戻させるための精算スイッチ17とが設けられている。
【００１５】
操作部４の下方には、文字及び図の少なくとも一方からなる標章、例えば、スロットマシン１の機種名を鮮明に表示するための下パネル3Bが設けられている。この下パネル3Bの裏側には、下パネル3Bを後方から照らす図示しないバックライト装置が設けられている。さらに、下パネル3Bの下方には、払い出されたメダルを溜めておくためのメダル受け3Cが設けられている。
また、操作部４の上方には、横方向に細長い長方形状に形成された図柄表示窓13が設けられている。図柄表示窓13は、筐体２の内部に収納された回転リール40の図柄41を遊技者に見せるための窓である。
【００１６】
図柄表示窓13の上方左右の角隅近傍には、種々の音声を出力するためのスピーカ42が設けられている。また、図柄表示窓13の中央部上方には、本発明に基づく回転灯装置60が設けられている。これらの回転灯装置60、スピーカ42及び図柄表示窓13の周囲には、回転灯装置60、スピーカ42及び図柄表示窓13の図１中左方、上方、右方を囲むように、逆Ｕ字形に配列された装飾ランプ部43が設けられている。
これらの装飾ランプ部43、回転灯装置60及びスピーカ42は、各遊技毎にスロットマシン１の内部で行われる当否抽選で、所定の当選役に対応した当選フラグが成立した際に行われる演出を行うための演出手段44となっている。
【００１７】
この演出手段44は、遊技者に当選フラグが成立すると、例えば、ボーナスフラグが成立すると、装飾ランプ部43を点灯又は点滅させる、回転灯装置60を作動させて、その照射光を旋回させる、及び、スピーカ42から当選音を発生させる等のいずれか一つを単独で作動させる、若しくは、これら二つ以上、又は、全部を同時に作動させることにより、遊技者に当選フラグの成立を報知する報知演出を行うようになっている。
筐体２の内部には、前述の三個の回転リール40を回転可能に支持するとともに、各回転リール40を回転駆動する図示しないモータを備えたリールユニット45と、メダル投入口18に投入されたメダルを検知する投入スイッチ15と、この投入スイッチ15を通過してきたメダルを貯留する容器であるとともに、入賞時には遊技者にメダルを払い出すホッパーユニット46とが設けられている。
【００１８】
このうち、リールユニット45は、図示しない枠体と、この枠体に支持された前述の図示しない三個のモータと、各々のモータの出力軸に結合された三個の回転リール40とを備えたものである。
ホッパーユニット46は、内部に貯留しているメダルを入賞時に遊技者に払い出すために、メダル受け3Cに臨むように開口された払い出し口46A を通じてメダルをメダル受け3Cへ排出するものである。
（回転灯装置60）
次に、本実施形態に係る回転灯装置60について説明する。
【００１９】
図２〜図４には、本実施形態に係る回転灯装置60が示されている。図２〜図４において、回転灯装置60は、略白色の照射光を発する光源である白熱電球65と、この白熱電球65の周囲を旋回可能に設けられた反射板64とを備えたものとなっている。そして、回転灯装置60は、反射板64を旋回させることにより、白熱電球65が発する照射光を周囲に旋回させながら、当該照射光を周囲に照射するようになっている。
回転灯装置60には、図２〜図４に示すように、白熱電球65及び反射板64に加えて、反射板64を旋回駆動するための旋回駆動機構部68と、旋回駆動機構部68を内部に収納するケース部61と、白熱電球65及び反射板64を内部に収納する風防部63と、ケース部61及び風防部63の間に介装されている接続部62と、ケース部61内の換気を強制的に行う強制換気機構部80（図３及び図４参照）が設けられている。
【００２０】
反射板64は、旋回駆動機構部68に回転自在に設けられるとともに、その回転軸の上に焦点が設けられている凹面鏡である。白熱電球65及び反射板64は、反射板64の焦点位置と、白熱電球65の発光するフィラメントの中心位置とがほぼ一致するように、回転灯装置60に取り付けられている。
旋回駆動機構部68は、反射板64を旋回駆動する原動機として、電力で作動するモータ68A を有するものとなっている。
この旋回駆動機構部68には、図３及び図４の如く、前述のモータ68A に加えて、モータ68A の出力軸に取り付けられたピニオンギア68B と、モータ68A の駆動力を減速するための減速ギア68C と、モータ68A の駆動力で回転駆動される回転基部68D と、モータ68A を支持する平板状の支持ベース板68E と、回転基部68D を下方から回転自在に支持するホルダ部68F とが設けられている。
【００２１】
このうち、減速ギア68C は、大型の歯車と小型の歯車が同軸位置になるように一体化されたものであり、大型の歯車がモータ68A の取り付けられたピニオンギア68B と噛み合っている。
回転基部68D は、平たい円形リング状に形成されたものである。この回転基部68D の円形リング状の内周縁部分には、減速ギア68C の小型の歯車と噛み合うための歯車部68G が設けられている。
具体的に説明すると、円形リング状に形成された回転基部68D の内周縁部分は、モータ68A 側に突出する円筒状に形成され、この円筒状の外周面には、減速ギア68C の小型の歯車と噛み合う多数の歯が形成されている。回転基部68D の歯車部68G は、これらの歯により形成されたものとなっている。
【００２２】
回転基部68D の外周縁近傍の部分には、図３の如く、複数の嵌合凹部68H が設けられている。一方、反射板64の回転基部68D 側に配置された端部は、円盤状に広がったターンテーブル部64A とされている。このターンテーブル部64A の回転基部68D 側を臨む面には、回転基部68D 側に複数設けられた嵌合凹部68H に対応して、複数の突起部64B が突設されている。反射板64は、その突起部64B のそれぞれが回転基部68D の対応する嵌合凹部68H に嵌合され、これにより回転基部68D に対して回り止めされ、この状態で、回転基部68D にネジ留めされている。
また、回転基部68D の内周面には、図３中下方を向いた突出面を備えた段付部68I が形成されている。一方、ホルダ部68F の外周面には、図３中上方を向いた突出上面を備えた鍔部68J が突設されている。そして、回転基部68D の段付部68I は、その内径D1（図４参照）がホルダ部68F 本体の外周面の直径D2（図４参照）よりも僅かに小さくなるように設定されている。これにより、回転基部68D は、ホルダ部68F に設けられた鍔部68J の上に段付部68I を載せると、この状態で、ホルダ部68F に回転自在に支持されるようになっている。
【００２３】
そして、ホルダ部68F には、図４中上方の面から支持ベース板68E へ向かって延びる一対の脚部68K が設けられている。ホルダ部68F は、リング状の回転基部68D の内部に脚部68K を挿通させ、且つ、その鍔部68J に回転基部68D の段付部68I を支持させた状態で、脚部68K の先端が支持ベース板68E に接合されている。
支持ベース板68E の風防部63側の面には、図３及び図４の如く、白熱電球65を支持するソケット67の基端が取り付けられている。このソケット67は、筒状の本体内部に図示しない一対の電極が形成されたものである。白熱電球65は、ソケット67の電極と電気的に接続されて電力供給を受けるようになっている。
【００２４】
ここで、反射板64の円盤状に広がったターンテーブル部64A 及びホルダ部68F には、中央部分にソケット67の先端部分を挿通させる挿通孔64C, 68Lが設けられている。
白熱電球65は、ホルダ部68F の挿通孔68L 及び反射板64の挿通孔64C の内部に挿通されたソケット67の内部に、その電極部65A が嵌合するようになっている。
ケース部61は、図２の如く、平面形状がＵ字形状に形成された底板部61D と、この底板部61D の周縁に沿って立設された側壁部61C とを備えた箱状に形成されたものであり、内部に旋回駆動機構部68を収納するようになっている。なお、底板部61D は、Ｕ字形状の半円形状に膨出した部分が他の部分と斜めに交差し、その断面形状が「へ」の字形に形成されている。
【００２５】
ケース部61には、図２〜図４の如く、スロットマシン１にネジ留めするために、図４中上方の面及び側面のそれぞれから突出する複数の耳部61A が設けられている。これらの耳部61A の各々には、スロットマシン１の被取付部位に螺合させるための図示しないネジが略水平方向に挿通されるネジ挿通孔61B が形成されている。
このケース部61の内部には、図３及び図４の如く、前述の旋回駆動機構部68に加えて、旋回駆動機構部68のモータ68A 及び白熱電球65を制御するための制御回路部が形成された回路基板70が収納されている。この回路基板70の制御回路部は、旋回駆動機構部68のモータ68A 及び白熱電球65への電力を入り切りするための図示しないスイッチング素子を備え、外部から指令信号、具体的には、スロットマシン１から演出指令信号を受信し、この演出指令信号に応じてモータ68A 及び白熱電球65を作動させるものとなっている。
【００２６】
風防部63は、上方図４中上方となる一端側が開口された円筒状の側壁部63A と、この側壁部63A の他端側を塞ぐ半球状のドーム部63C とを備えた容器状に形成され、内部に白熱電球65及び反射板64を収納するようになっている。この風防部63の内法は、白熱電球65の周囲を反射板64が回転可能となるように設定されている。
また、風防部63を形成する材料の材質は、白熱電球65が発する照射光を外部へ照射できるように、透明赤色の合成樹脂となっている。
さらに、側壁部63A の開口に近接する内周面、換言すると、風防部63の開口に近接する内周面には、螺旋状に延びるネジ溝からなる雌ネジ部63B が形成されている。これにより、風防部63の開口近傍部分は、雌ネジ部63B を備えた雌ネジとなっている。そして、この雌ネジ部63B が、風防部63を接続部62に接続する接続部分（螺合部分）となっている。
【００２７】
接続部62は、ケース部61及び風防部63の間に介装されて、ケース部61及び風防部63を相互に接続するものである。
この接続部62には、ケース部61に設けられている側壁部61C と対応する側壁部62A が形成されている。接続部62の側壁部62A は、その上端面の外周側が段差となった段付部62B を備えている。
この接続部62の段付部62B に対応して、ケース部61の側壁部61C は、その上端面の内周側が段差となった段付部61E (図３にのみ示す）を備えている。
また、接続部62の側壁部62A には、ケース部61と螺合するネジ62C (図３にのみ示す）を挿通させる挿通孔62D が形成されている複数の突起部62E が設けられている。
【００２８】
接続部62は、その段付部62B をケース部61側の段付部61E の内側に嵌合させた状態で、その突起部62E の挿通孔62D に挿通されたネジ62C をケース部61に螺合させることにより、ケース部61に接続されている。
また、接続部62には、風防部63の側壁部63A と対応する円筒状の側壁部62F が形成されている。この側壁部62F の外周面には、ネジ溝が形成され、これにより、側壁部62F が雄ネジとなっている。
接続部62は、雄ネジとなっている側壁部62F の先端縁が風防部63の開口内部に嵌め込まれた状態で、風防部63及び接続部62の一方を他方に対して相対的に回転させ、雄ネジとなっている側壁部62F を風防部63の雌ネジ部63B に螺合することにより、風防部63との接続がなされるようになっている。
【００２９】
（強制換気機構部80）
強制換気機構部80は、反射板64を回転駆動するモータ68A で回転扇(81)を回転駆動することにより、ケース部61の内部を強制的に換気するものとなっている。
すなわち、ケース部61の側壁部61C には、図２〜図４に示すように、外部の空気をケース部61の内部に取り入れるための吸気口82と、ケース部61の内部の空気を外部へはき出すための排気口83とが設けられている。
これらの吸気口82及び排気口83は、多少オフセットされた位置において、互いに向かい合うように配置されている。また、吸気口82及び排気口83には、吸気口82及び排気口83のそれぞれを通って、異物がケース部61の内部に入らないように、複数のルーバー82A, 83Aがそれぞれ設けられている。
【００３０】
また、ケース部61の内部には、図３及び図４に示すように、回転駆動されることで送風を行う回転扇としての軸流ファン81が回転自在に設けられているとともに、反射板64を旋回駆動するモータ68A の回転駆動力を軸流ファン81まで伝達する駆動力伝達機構部84が設置されている。
軸流ファン81は、モータ68A の出力軸と直交する回転軸を備えたものとなっている。また、軸流ファン81は、ケース部61の内部における排気口83の直ぐ内側に対向して配置され、排気口83を通じてケース部61の外部に臨むようになっている。
駆動力伝達機構部84は、互いに噛み合う複数の歯車85〜89で、軸流ファン81の回転軸にモータ68A の回転駆動力を伝達するものである。
【００３１】
すなわち、モータ68A の出力軸には、ピニオンギア85が取り付けられ、このピニオンギア85には、円板状に形成された歯車86が噛み合っている。この歯車86には、当該歯車86と同様に円板状に形成された歯車87が噛み合っている。この歯車87の回転軸には、笠歯車88が取り付けられている。そして、笠歯車88には、軸流ファン81の回転軸に取り付けられた笠歯車89が噛み合っている。
ここで、駆動力伝達機構部84は、互いに噛み合う一対の笠歯車88, 89を備え、これら一対の笠歯車88, 89により、モータ68A の出力軸と直交する軸流ファン81の回転軸に、モータ68A の回転駆動力を伝達することができるようになっている。
【００３２】
そして、強制換気機構部80は、モータ68A で軸流ファン81を回転駆動することにより、ケース部61の内部の空気を排気口83から外部へはき出すとともに、吸気口82からケース部61の内部へ外部の空気が取り込んで、ケース部61の内部を強制的に換気するように形成されている。
前述のような本実施形態によれば、次のような効果が得られる。
すなわち、反射板64を回転駆動するモータ68A で回転駆動される軸流ファン81と、ケース部61外部の空気を取り入れるための吸気口82と、ケース部61内部の空気を外部へはき出すため排気口83とを設け、モータ68A で軸流ファン81を回転駆動させることにより、ケース部61の内部を強制的に換気するようにしたので、反射板64を旋回駆動するモータ68A を作動させても、換気により、モータ68A から発生する熱をケース部61の外に逃がすことができ、ケース部61内部の温度上昇を未然に防止できる。このため、長時間の連続作動によりモータ68A が過熱するおそれがなくなり、作動時間を制限する必要がなく、長時間の連続動作が行えるようになる。
【００３３】
また、吸気口82及び排気口83をケース部61の側壁部61C に設けたので、スロットマシン１に取り付けられるケース部61の上側や、白熱電球65び反射板64が設けられるケース部61の下側には、排熱するのに充分な大きさの開口が確保できなくとも、吸気口82及び排気口83の開口面積を、排熱するのに充分な大きさにすることができる。
さらに、反射板64を旋回駆動するモータ68A の回転駆動力を軸流ファン81まで伝達する駆動力伝達機構部84に、互いに噛み合う一対の笠歯車88, 89を設け、これら一対の笠歯車88, 89により、モータ68A の出力軸と直交する回転軸に回転駆動力を伝達できるようにしたので、モータ68A の出力軸と直交する回転軸を有する軸流ファン81を排気口83に臨むように配置しても、駆動力伝達機構部84によってモータ68A の回転駆動力を軸流ファン81に確実に伝達することができる。
【００３４】
従って、充分な開口面積を有する排気口83に臨むように、送風量の大きい軸流ファン81を配置できるようになり、軸流ファン81を駆動するモータ68A に大きな負荷を加えることなく、モータ68A を冷却する冷却空気の風量を充分に確保することができ、反射板64を旋回駆動するモータ68A で軸流ファン81を回転駆動しても、何ら問題が生じない。
また、軸流ファン81をケース部61の内部における排気口83の直ぐ内側に対向して配置したので、軸流ファン81の回転駆動によりケース部61内が負圧となり、熱により膨張した空気も排気口83へ誘導され、ケース部61の内部へ軸流ファン81で空気を圧送する場合と異なり、一部分にのみに冷却空気が送風されることがなく、ケース部61の内部を全体的に冷却することができ、この点からも、長時間の連続作動によりモータ68A が過熱するおそれをなくすことができる。
【００３５】
なお、本発明は、前記実施形態に限定されるものではなく、本発明の目的を達成できる範囲における変形及び改良などをも含むものである。
例えば、回転灯装置の光源としては、白熱電球65に限らず、水銀灯等のディスチャージランプ、あるいは、発光ダイオードや有機ＥＬ素子等の固体発光素子でもよい。
また、回転扇としては、軸流ファンに限らず、遠心ファンでもよく、回転扇の具体的な構造は、実施にあたり適宜選択すればよい。なお、前記実施形態のように軸流ファンを採用すれば、冷却風量の確保が他の形式の回転扇よりも容易となる、というメリットを得ることができる。
【００３６】
さらに、遊技機としては、スロットマシンに限らず、パチンコ機等でもよく、本発明は、回転灯装置を備えた遊技機全般に適用することができる。
【図面の簡単な説明】
【００３７】
【図１】本発明の一実施形態に係る遊技機であるスロットマシンの全体を示す正面図である。
【図２】前記実施形態に係る回転灯装置を示す斜視図である。
【図３】前記実施形態に係る回転灯装置を示す断面図である。
【図４】前記実施形態に係る回転灯装置を示す分解斜視図である。
【符号の説明】
【００３８】
１      遊技機としてのスロットマシン
60      回転灯装置
61      ケース部
61C     側壁部
63      風防部
64      反射板
65      光源としての白熱電球
68      旋回駆動機構部
68A     モータ
81      回転扇
82      吸気口
83      排気口
84      駆動力伝達機構部
88, 89  一対の笠歯車
【図１】
2008161305.tif 000003
【図２】
2008161305.tif 000004
【図３】
2008161305.tif 000005
【図４】
2008161305.tif 000006